(57)【要約】【課題】新しくハードウェアを追加することなく（例えば、スマートフォンなどのカメラ装置にソフトウェアをインストールするだけで）、かつ、容易に一人で全身の自撮りを行うことが可能な全身自撮り装置を提供する。【解決手段】全身自撮り装置は、人を撮影可能なカメラ６０と、画像認識処理を行うことが可能な画像認識処理部３０と、画像認識処理部３０を用いた画像認識処理により、前記カメラの撮影範囲に人のほぼ全身の姿が収まっているかを判断するための仕組み、及び、前記仕組みにより前記カメラの撮影範囲に人のほぼ全身の姿が収まっていると判断したら前記カメラによる撮影を行うための仕組みを兼ねる制御部４０とを備える。【選択図】図１
2017198955.tif 000002
【特許請求の範囲】
【請求項１】
人を撮影可能なカメラと、
画像認識処理を行うことが可能な画像認識処理部と、
前記画像認識処理部を用いた画像認識処理により、前記カメラの撮影範囲に前記人のほぼ全身の姿が収まっているかを判断するための仕組みと、
前記仕組みにより前記カメラの撮影範囲に前記人のほぼ全身の姿が収まっていると判断したら前記カメラによる撮影を行うための仕組みと、
を備えた、全身自撮り装置。
【請求項２】
表示部と、前記表示部に撮影した画像に衣服または服飾小物の画像を重ねて表示するための仕組みとを備えた、請求項１に記載の全身自撮り装置。
【発明の詳細な説明】
【技術分野】
【０００１】
本発明は、全身を映せるような大きな鏡を持っていなくても、自分一人で自分の全身の写真を撮影できる全身自撮り装置に関する。
【背景技術】
【０００２】
自分一人で自分の全身の写真を撮影するには、全身を映せるような大きな鏡が必要となる。
【０００３】
しかし、特に若い世代では、居住スペースの広さや収入面の問題のために、大きな鏡を所有していない人間が多い。
【０００４】
また、デジタルカメラなどに取り付ける「自撮り棒」という道具があるが（例えば、特許文献１参照）、それを用いて全身を自撮りするには、長くて腕にかかる負担も大きいために扱いづらい、特殊な自撮り棒が必要になってしまう。
【先行技術文献】
【特許文献】
【０００５】
【特許文献１】ＵＳ４５３０５８０Ａ号公報
【発明の概要】
【発明が解決しようとする課題】
【０００６】
本発明の目的は、新しくハードウェアを追加することなく（例えば、スマートフォンなどのカメラ装置にソフトウェアをインストールするだけで）、かつ、容易に一人で全身の自撮りを行うことが可能な全身自撮り装置を提供することにある。
【課題を解決するための手段】
【０００７】
本発明の一態様は、上記目的を達成するため、人を撮影可能なカメラと、画像認識処理を行うことが可能な画像認識処理部と、前記画像認識処理部を用いた画像認識処理により、前記カメラの撮影範囲に前記人のほぼ全身の姿が収まっているかを判断するための仕組みと、前記仕組みにより前記カメラの撮影範囲に前記人のほぼ全身の姿が収まっていると判断したら前記カメラによる撮影を行うための仕組みと、を備えた、全身自撮り装置を提供する。
【発明の効果】
【０００８】
本発明によれば、新しくハードウェアを追加することなく、かつ、容易に一人で全身の自撮りを行うことができる。
【図面の簡単な説明】
【０００９】
【図１】図１は、本発明の第１の実施の形態に係る全身自撮り装置の動作の一例を説明するための概念図である。
【発明を実施するための形態】
【００１０】
以下、本発明の実施の形態について図面を参照して説明する。なお、各図中、実質的に同一の機能を有する構成要素については、同一の符号を付してその重複した説明を省略したものもある。
【００１１】
［第１の実施の形態］
図１は、本発明の第１の実施の形態に係る全身自撮り装置の動作の一例を説明するための概念図である。全身自撮り装置１０は、人を撮影可能なカメラ６０と、画像認識処理を行うことが可能な画像認識処理部３０と、画像認識処理部３０を用いた画像認識処理により、前記カメラの撮影範囲に人のほぼ全身の姿が収まっているかを判断するための仕組み、及び、前記仕組みにより前記カメラの撮影範囲に人のほぼ全身の姿が収まっていると判断したら前記カメラによる撮影を行うための仕組みを兼ねる制御部４０とを備える。
【００１２】
（全身自撮り装置の動作例）
まず、利用者２０は、「スタートボタンを表す画像のタップ」などにより、全身自撮り装置１０に動作開始を指示する。
【００１３】
次に、利用者２０は、全身自撮り装置１０を、壁やスタンドなどに立てかける。なお、先に全身自撮り装置１０を壁やスタンドなどに立てかけてから、動作開始を指示してもよい。
【００１４】
次に、利用者２０は、全身自撮り装置１０の前に立つ。
【００１５】
次に、全身自撮り装置１０は、画像認識処理部３０を用いて画像認識処理を行い、カメラ６０の撮影範囲に利用者２０のほぼ全身の姿が収まっているかを判定する。もし収まっていれば、全身自撮り装置１０が発する音や光などにより、利用者２０に通知を行う。利用者２０は、前記通知が行われるまでカメラ６０の前を適当に移動し続け、前記通知が行われたら足を止め、できるだけポーズも変えないようにしてもよい。また、全身自撮り装置１０は、前記通知の前に、例えば音声による「もっと前に出てください」「もっと左に移動してください」というような指示のような、利用者２０への移動の指示を行うための仕組みを備えていてもよい。
【００１６】
前記通知が行われたら、全身自撮り装置１０は、即時、または、所定の時間おいた後で（例えば、１０秒など。この時間は、利用者２０が設定可能にしてもよい）カメラ６０による撮影を行う。なお、全身自撮り装置１０は、このときに音声などにより撮影までの残り時間を利用者２０に知らせるための仕組みを備えていてもよい。
【００１７】
全身自撮り装置１０は、スマートフォンや携帯電話などの携帯情報端末でもよいし、デジタルカメラでもよいし、据え置き型や携帯型のカメラ付きゲーム機でもよいし、カメラを接続したパソコンでもよい。
【００１８】
また、カメラ６０の撮影範囲に利用者２０のほぼ全身の姿が収まっているかを判定するとき、全身の姿全てが撮影範囲に収まっていても、収まっていると判定してもよい。また、足や手など体の一部が撮影範囲から外れていても、収まっていると判定してもよい。
【００１９】
また、全身自撮り装置１０は、液晶ディスプレイ、有機ＥＬディスプレイ、家庭用テレビ、パソコン用ディスプレイなどから構成される表示部５０を備えていてもよい。表示部５０は、全身自撮り装置１０の一部として備えていても、全身自撮り装置１０とは別に備えていてもよい。また、表示部５０は、全身自撮り装置１０により撮影した画像に衣服または服飾小物の画像を重ねて表示するための仕組みを兼ねていてもよい。例えば、全身自撮り装置１０により撮影した全身画像に、衣服や服飾小物の画像を適切に変形（拡大、縮小、回転、斜めにゆがませるなど）させて上に重ね、試着室の鏡に映るような画像を表示部５０に表示できる、仮想的な試着を行うための仕組みを備えていてもよい。これにより、普及率の高いスマートフォンだけで（新しくハードウェアを追加することなく）、自宅に居ながらにして、ブランド物の衣服・バッグ・アクセサリーなどの試着を好きなだけ行うことなどが可能になる。
【００２０】
なお、本発明の実施の形態は、上記実施の形態に限定されるものではなく、本発明の要旨を変更しない範囲内で種々に変形、実施が可能である。
【産業上の利用可能性】
【００２１】
本発明の全身自撮り装置は、新しくハードウェアを追加することなく、かつ、容易に一人で全身の自撮りを行うことができるので、産業上有用である。
【符号の説明】
【００２２】
１０…全身自撮り装置、２０…利用者、３０…画像認識処理部、４０…制御部、５０…表示部、６０…カメラ
【図１】
2017198955.tif 000003